(57)【要約】【課題】既存の外壁から剥離する剥離物の落下を効果的に防止しつつ、優れた施工性を発揮可能な落下阻止部材と、外壁の改修方法とを提供する。【解決手段】本発明の落下阻止部材１は、板材が屈曲されてなる。この落下阻止部材１は、外壁５に固定された縦方向に延びる金属胴縁７間の長さを有し、外壁５に固定される第１、２基板部１ａ、１ｂと、第１、２基板部１ａ、１ｂと一体をなし、第１、２基板部１ａ、１ｂの幅方向で屈曲されて外壁５から離間するように延びる第１、２側壁部１ｃ、１ｄと、第１、２側壁部１ｃ、１ｄと一体をなし、第１、２側壁部１ｃ、１ｄから第１、２基板部１ａ、１ｂと平行になるように屈曲されて延び、外装材９内に位置する頂壁部１ｅとからなる。【選択図】図１
2015071917.tif 000002
【特許請求の範囲】
【請求項１】
板材が屈曲されてなり、
外壁に固定された縦方向に延びる胴縁間の長さを有し、前記外壁に固定される基板部と、前記基板部と一体をなし、前記基板部の幅方向で屈曲されて前記外壁から離間するように延び、前記外装材内に位置する側壁部とを有していることを特徴とする落下阻止部材。
【請求項２】
前記基板部は互いに平行に延びる第１基板部及び第２基板部からなり、
前記側壁部は、前記第１基板部における前記第２基板部側に位置する第１側壁部と、前記第２基板部における前記第１基板部側に位置する第２側壁部とからなり、
前記第１側壁部と前記第２側壁部と一体をなし、前記第１側壁部と前記第２側壁部から前記第１基板部及び前記第２基板部と平行になるように屈曲されて延び、前記外装材内に位置する頂壁部をさらに有している請求項１記載の落下阻止部材。
【請求項３】
前記第１側壁部、前記第２側壁部又は前記頂壁部には、他の物を係合可能な係止部が設けられている請求項１又は２記載の落下阻止部材。
【請求項４】
外壁に縦方向に延びる複数本の胴縁を固定する第１工程と、
隣り合う前記胴縁間に落下阻止部材を水平に固定する第２工程と、
前記各胴縁に外装材を固定する第３工程とを備え、
前記落下阻止部材は、前記外壁に固定される基板部と、前記基板部と一体をなし、隣り合う前記胴縁間の長さで前記外壁から離間するように延び、前記外装材内に位置する側壁部とを有していることを特徴とする外壁の改修方法。
【発明の詳細な説明】
【技術分野】
【０００１】
本発明は落下阻止部材及び外壁の改修方法に関する。
【背景技術】
【０００２】
特許文献１に従来の外壁の改修方法が開示されている。この改修方法は、既存の外壁に縦方向に延びる複数本の第１胴縁を固定する第１工程と、各第１胴縁の外側に横方向に延びる複数本の第２胴縁を固定する第２工程と、各第２胴縁の外側に外装材を固定する第３工程とを備えている。
【０００３】
第１胴縁は、縦方向に沿ったコ字状の膨出片と、この膨出片の両端部から互いに離間する方向に突出し、縦方向に延びる一対のフランジ片とからなる。つまり、この第１胴縁は断面形状が略ハット状となっている。第１胴縁には、横方向に延びるスリットが高さ方向で所定間隔を隔てて複数本形成されている。
【０００４】
第２胴縁は板状の垂直片からなる。この第２胴縁は、背面に引掛片が形成されており、引掛片が第１胴縁のスリットに係止されるようになっている。また、この第２胴縁は、前面に止着片が形成されており、止着片が外装材を係止するようになっている。
【０００５】
この改修方法では、外壁の表面に凹凸があっても、複数の第１胴縁がその凹凸を隠蔽する。また、複数の第２胴縁が各第１胴縁を覆いつつ外装材を固定する。このため、この改修方法では、外装材の仕上がり面を平滑にきれいに仕上げることができる。
【０００６】
また、特許文献２には、防護ネットを用いた改修方法が開示されている。この改修方法では、まず、防護ネットが外壁の全面に配設される。この後、縦方向に延びる複数本の胴縁が防護ネットの外側からアンカーボルトによって外壁に固定される。そして、各胴縁に外壁材が固定される。
【０００７】
この改修方法では、外壁の一部に剥離を生じても、剥離した物が落下したり、外装材に干渉したりすることを防護ネットが防止できる。
【先行技術文献】
【特許文献】
【０００８】
【特許文献１】特開２０１１−０７４５８２号公報
【特許文献２】実用新案登録第２５８５５７２号公報
【発明の概要】
【発明が解決しようとする課題】
【０００９】
しかし、上記特許文献１の改修方法では、既存の外壁が経年により劣化したタイル等で形成され、タイル等の剥離物が落下する場合には、何らの防止手段も存在しない。このため、この改修方法によって外壁を改修したとしても、剥離物が落下の際に他のタイル等に干渉してさらなる剥離物を生じさせたり、外装材の内部を傷つけたりするおそれがある。
【００１０】
この点、上記特許文献２の改修方法では、防護ネットによって剥離物の落下等の問題点を解消することは可能である。
【００１１】
しかしながら、防御ネットを使用すると、防護ネットを外壁の全面に固定しなければならず、手間が掛かるため、改修の施工性が劣る。
【００１２】
本発明は、上記従来の実情に鑑みてなされたものであって、既存の外壁から剥離する剥離物の落下を効果的に防止しつつ、優れた施工性を発揮可能な落下阻止部材と、外壁の改修方法とを提供することを解決すべき課題としている。
【課題を解決するための手段】
【００１３】
本発明の落下阻止部材は、板材が屈曲されてなり、
外壁に固定された縦方向に延びる胴縁間の長さを有し、前記外壁に固定される基板部と、前記基板部と一体をなし、前記基板部の幅方向で屈曲されて前記外壁から離間するように延び、前記外装材内に位置する側壁部とを有していることを特徴とする。
【００１４】
本発明の落下阻止部材によれば、基板部が外壁に固定された縦方向に延びる胴縁間において、胴縁間の長さで外壁に固定される。これにより、基板部と一体をなし、基板部の幅方向で屈曲されて外壁から離間するように延びる側壁部は、外装材内に位置することとなる。このため、既存の外壁から剥離物が剥離したとしても、その剥離物をその側壁部に引っ掛けることができる。このため、剥離物が落下の際に他の部分に干渉してさらなる剥離物を生じさせたり、外装材の内部を傷つけたりするおそれが生じない。
【００１５】
また、この落下阻止部材は、外壁の高さ方向で所定間隔を隔ててその基板部を固定すれば足りるため、外壁の全面に防護ネットを固定するよりも手間が掛からない。
【００１６】
したがって、本発明の落下阻止部材によれば、既存の外壁から剥離する剥離物の落下を効果的に防止しつつ、優れた施工性を発揮可能である。
【００１７】
落下阻止部材において、基板部は互いに平行に延びる第１基板部及び第２基板部からなり得る。また、側壁部は第１基板部における第２基板部側に位置する第１側壁部と、第２基板部における第１基板部側に位置する第２側壁部とからなり得る。また、第１側壁部と第２側壁部と一体をなし、第１側壁部と第２側壁部から第１基板部及び第２基板部と平行になるように屈曲されて延び、外装材内に位置する頂壁部をさらに有していることが好ましい。
【００１８】
この場合、第１、２基板部を外壁にビス等によって固定できる。このため、この落下阻止部材は、外壁に対し、強固な固定が可能となり、剥離物の落下による衝撃にも強くなる。
【００１９】
落下阻止部材において、第１側壁部、第２側壁部又は頂壁部には、他の物を係合可能な係止部が設けられていることが好ましい。
【００２０】
ここで、本発明の落下阻止部材が縦方向に延びる胴縁間の長さを有することから、他の物とは、２本の胴縁間の幅を有する防護ネット、ピアノ線等、落下阻止部材以外の物である。また、係止部としては、孔、治具等を採用することができる。
【００２１】
例えば、２本の胴縁間の幅を有する防護ネットを係止部に係合すれば、防護ネットの施工を効率よく行うことが可能となる。また、こうして外装材を施工した外壁を将来解体する際、既存の外壁から剥落して落下阻止部材の側壁部等に引っ掛かっている剥離物が外装材を外した瞬間に落下するということを阻止できる。
【００２２】
また、例えば、ピアノ線を上下の落下阻止部材の係合部に係合すれば、落下阻止部材が剥離物の重み等で既存の外壁から外れたとしても、落下阻止部材が地上まで落下することを阻止できる。
【００２３】
本発明の外壁の改修方法は、外壁に縦方向に延びる複数本の胴縁を固定する第１工程と、
隣り合う前記胴縁間に落下阻止部材を水平に固定する第２工程と、
前記各胴縁に外装材を固定する第３工程とを備え、
前記落下阻止部材は、前記外壁に固定される基板部と、前記基板部と一体をなし、隣り合う前記胴縁間の長さで前記外壁から離間するように延び、前記外装材内に位置する側壁部とを有していることを特徴とする。
【００２４】
本発明の改修方法では、第１工程において、外壁に縦方向に延びる複数本の胴縁を固定する。第２工程において、胴縁間に落下阻止部材を水平に固定する。そして、第３工程において、各胴縁に外装材を固定する。ここで、落下阻止部材が上記の作用効果を奏する。
【００２５】
したがって、本発明の外壁の改修方法では、既存の外壁から剥離する剥離物の落下を効果的に防止しつつ、優れた施工性を発揮可能である。
【発明の効果】
【００２６】
本発明の落下阻止部材は、既存の外壁から剥離する剥離物の落下を効果的に防止しつつ、優れた施工性を発揮可能である。また、本発明の外壁の改修方法では、既存の外壁から剥離する剥離物の落下を効果的に防止しつつ、優れた施工性を発揮可能である。
【図面の簡単な説明】
【００２７】
【図１】実施例１の落下阻止部材を示す斜視図である。
【図２】実施例１の落下阻止部材を外壁に取り付けた状態を示す断面図である。
【図３】実施例１の落下阻止部材を外壁に取り付けた状態を示す正面図である。
【図４】実施例１の改修方法を示す斜視図である。
【図５】実施例２、３の落下阻止部材に係止部を取り付けた状態を示す斜視図である。
【図６】実施例２の改修方法を示す正面図である。
【図７】実施例３の改修方法を示す正面図である。
【発明を実施するための形態】
【００２８】
以下、本発明を具体化した実施例１〜３を図面を参照しつつ説明する。
【００２９】
（実施例１）
図１及び図２に示すように、落下阻止部材１は、厚さ１．２ｍｍ、幅８４ｍｍ、長さ５４０ｍｍの帯状をなす金属製の板材が屈曲されて形成されている。この板材は溶融亜鉛を母材とし、この母材にアルミニウム及びマグネシウム合金からなるめっきを施したものである。
【００３０】
この落下阻止部材１は、長手方向Ｄに延びている。それぞれ幅２０ｍｍの帯状の第１、２基板部１ａ、１ｂと、それぞれ幅１２ｍｍの帯状の第１、２側壁部１ｃ、１ｄと、幅２０ｍｍの帯状の頂壁部１ｅとからなる。この落下阻止部材１の長さは、後に述べる隣り合う金属胴縁７間の長さを有している。
【００３１】
第１、２基板部１ａ、１ｂは、同一平面において互いに平行に延びている。第１基板部１ａには、ビス３を挿通するための２個の貫通孔１ｆが設けられている。なお、第２基板部１ｂに貫通孔を設けることも可能である。
【００３２】
第１側壁部１ｃは、第１基板部１ａの幅方向の一端側で直角に屈曲されている。第２側壁部１ｄは、第２基板部１ｂの幅方向の他端側で直角に屈曲されている。第１、２側壁部１ｃ、１ｄも互いに平行に延びている。第１、第２側壁部１ｃ、１ｄには、一定間隔毎に複数の通気孔１ｇが設けられている。
【００３３】
頂壁部１ｅは、第１側壁部１ｃの先端から第１基板部１ａと平行になるように直角に屈曲されるとともに、第２側壁部１ｄの先端から第２基板部１ｂと平行になるように直角に屈曲されている。頂壁部１ｅは、第１側壁部１ｃと第２側壁部１ｄとの間に形成されている。
【００３４】
この落下阻止部材１を用い、以下のように外壁５の改修を施工する。この際、外装材９として、窯業製品を用いる。
【００３５】
図３に示すように、まず、第１工程として、外壁５に縦方向に延びる複数本の公知の金属胴縁７を複数のアンカーボルト１１等によって固定する。この際、金属胴縁７は縦方向に垂直になるようにする。ここで、外壁５はタイル５ｂ製の既存の壁である。この外壁５は、鉄筋コンクリート上にモルタル５ａを施し、その上にタイル５ｂを貼った構造になっている。
【００３６】
次いで、第２工程として、落下阻止部材１の貫通孔１ｆにビス３を挿通し、ビス３を外壁５にねじ込むことにより、外壁５に落下阻止部材１を固定する。この際、落下阻止部材１は、隣り合う金属胴縁７間に長手方向Ｄが水平になるように固定する。
【００３７】
この後、図４に示すように、第３工程として、各金属胴縁７に留め金具１３を用いて外装材９を固定する。こうして、外壁５の改修方法が完了する。
【００３８】
この改修方法では、外壁５に固定された縦方向に延びる金属胴縁７間において、金属胴縁７間の長さで外壁５に落下阻止部材１の第１、第２基板部１ａ、１ｂが固定される。これにより、第１、第２基板部１ａ、１ｂと一体をなし、第１、第２基板部１ａの幅方向で屈曲されて外壁５から離間するように延びる第１、第２側壁部１ｃ、１ｄは、外装材９内に位置することとなる。このため、既存の外壁５からタイル５ｂが剥離したとしても、そのタイル５ｂをその第１側壁部１ｃに引っ掛けることができる。このため、タイル５ｂが落下の際に他の部分に干渉してさらなに落下するタイル５ｂを生じさせたり、外装材９の内部を傷つけたりするおそれが生じない。
【００３９】
また、この改修方法では、外壁５の高さ方向で間隔を隔ててその第１基板部１ａを固定すれば足りるため、外壁５の全面に防護ネットを配設するよりも容易である。このため、手間が掛からない。
【００４０】
したがって、この改修方法によれば、既存の外壁５から剥離するタイル５ｂの落下を効果的に防止しつつ、優れた施工性を発揮することが可能である。
【００４１】
（実施例２）
実施例２の改修方法では、図５に示す落下阻止部材２を用いる。この落下阻止部材２は、頂壁部１ｅの両端側に２個の小孔２ａ、２ｂが設けられている。
【００４２】
この落下阻止部材２を用いる場合、防護ネット１５も用いる。この防護ネット１５は、左右の金属胴縁７と上下の落下阻止部材２とで囲まれた部分を覆う大きさを有している。
【００４３】
この落下阻止部材２を用い、以下のように外壁５の改修を施工する。この場合、まず、上記実施例１と同様、第１、２工程を行う。
【００４４】
次に、図６に示すように、上下の落下阻止部材２の左右の各小孔２ａ、２ｂにそれぞれ針金２ｃを用いて防護ネット１５を取り付ける。他の構成及び工程は実施例１と同様である。
【００４５】
この改修方法では、２本の金属胴縁７間の幅を有する防護ネット１５を各小孔２ａ、２ｂに係合すれば、防護ネット１５の施工を効率よく行うことが可能となる。また、こうして外装材９を施工した外壁を将来解体する際、既存の外壁５から剥落して落下阻止部材２の側壁部１ｃ、１ｄ等に引っ掛かっているタイル５ｂが外装材９を外した瞬間に落下するということを阻止できる。
【００４６】
（実施例３）
実施例３では、図７に示すように、上記落下阻止部材２を用い、上下の落下阻止部材２間にピアノ線１７を設けた。この場合、まず、上記実施例１と同様、第１、２工程を行う。
【００４７】
次に、上下の落下阻止部材２の各小孔２ａ、２ｂに針金２ｃを用いてピアノ線１７を繋ぎ、両ピアノ線１７によって上下の落下阻止部材２を接続する。他の構成及び工程は実施例１と同様である。
【００４８】
この改修方法では、落下阻止部材２がタイル５ｂの重み等で既存の外壁５から外れたとしても、落下阻止部材２が地上まで落下することを阻止できる。
【００４９】
以上において、本発明を実施例１〜３に即して説明したが、本発明は上記実施例１〜３に制限されるものではなく、その趣旨を逸脱しない範囲で適宜変更して適用できることはいうまでもない。
【００５０】
例えば、上記実施例１〜３では、外壁５をタイル製の既存の壁としていたが、外壁５はこれに限定されるものではない。例えば、コンクリートパネル、ＡＬＣ、レンガ等の外壁に対しても本発明の落下阻止部材を採用することができる。
【００５１】
また、上記実施例１〜３では窯業製品である外装材９を用いたが、金属製の外装材を用いてもよい。この場合には、金属胴縁７にビス等によってその外装材を固定することが可能である。
【００５２】
また、上記実施例１〜３では、落下阻止部材２の係止部として小孔２ａ、２ｂを用いたが、これ以外に板材を加工した係止片を設けることも可能である。
【産業上の利用可能性】
【００５３】
本発明は、既存の外壁の改修の際に利用可能である。
【符号の説明】
【００５４】
１、２…落下阻止部材
１ａ…第１基板部
１ｂ…第２基板部
１ｃ…第１側壁部
１ｄ…第２側壁部
１ｅ…頂壁部
２ａ、２ｂ…係止部（小孔）
５…外壁
７…金属胴縁
９…外装材
１５、１７…他の物（１５…防護ネット、１７…ピアノ線）
【図１】
2015071917.tif 000003
【図２】
2015071917.tif 000004
【図３】
2015071917.tif 000005
【図４】
2015071917.tif 000006
【図５】
2015071917.tif 000007
【図６】
2015071917.tif 000008
【図７】
2015071917.tif 000009